(57)【要約】【課題】複数個の調整部材を利用して複数個の位置決め孔と合わせ、ステータ組と固定基板との間隔を調整し、ステータ組と固定基板との傾斜状態を修正することにより、ステータ組の平衡調整をより迅速かつ簡単にすることができるディスク装置の主軸モーターのステータ組調整構造を提供しようとするものである。【解決手段】複数個の調整部材と複数個の位置決め孔が含まれる。上記位置決め孔は等角度かつ対称になるようにステータ組または固定基板に設置され、上記調整部材は上記位置決め孔に螺設されて上記ステータ組と固定基板との間に当接するように形成され、上記調整部材の当接の程度を変えることにより、上記ステータ組と固定基板との間隔を調整することができ、上記ステータ組と固定基板との間における相対的な水平の位置決めを完成するように構成されている。【選択図】    図３
2004173414.tif 000002
【特許請求の範囲】
【請求項１】
少なくとも一個の調整部材（４３）を含むディスク装置の主軸モーターのステータ組調整構造であって、上記調整部材（４３）はステータ組（４０）と固定基板（４２）の間に当接されることができるため、上記調整部材（４３）の当接の程度を変えることで、上記ステータ組（４０）と固定基板（４２）との間隔および傾斜状態を修正して調整することにより、上記ステータ組（４０）と固定基板（４２）との間における相対的な水平の位置決めを完成することを特徴とするディスク装置の主軸モーターのステータ組調整構造。
【請求項２】
上記調整部材（４３）はねじからなることを特徴とする請求項１に記載のディスク装置の主軸モーターのステータ組調整構造。
【請求項３】
上記調整部材（４３）は異なる長さを有した複数個の柱体からなることを特徴とする請求項１に記載のディスク装置の主軸モーターのステータ組調整構造。
【請求項４】
上記調整部材（４３）は異なる弾性係数を有した複数個の弾性部材からなることを特徴とする請求項１に記載のディスク装置の主軸モーターのステータ組調整構造。
【請求項５】
上記調整部材（４３）は金属、合金、プラスチックにより製造されることを特徴とする請求項１、２、３または４に記載のディスク装置の主軸モーターのステータ組調整構造。
【請求項６】
上記調整部材（４３）は溶接、熱溶接、粘着剤付けの方式により固定されることを特徴とする請求項１、２、３または４に記載のディスク装置の主軸モーターのステータ組調整構造。
【請求項７】
上記ステータ組（４０）には他に上記調整部材（４３）を螺設するための位置決め孔（４０１）が複数個穿設され、上記調整部材（４３）が位置決め孔（４０１）に螺設された程度を変えることにより、上記ステータ組（４０）と固定基板（４２）との間隔を調整することを特徴とする請求項１または２に記載のディスク装置の主軸モーターのステータ組調整構造。
【請求項８】
上記位置決め孔（４０１）は等角度かつ対称になるように上記ステータ組（４０）に設置されることを特徴とする請求項７に記載のディスク装置の主軸モーターのステータ組調整構造。
【請求項９】
上記位置決め孔（４０１）は上記ステータ組（４０）の中央部（４０２）に設置されることを特徴とする請求項７に記載のディスク装置の主軸モーターのステータ組調整構造。
【請求項１０】
上記位置決め孔（４０１）は上記ステータ組（４０）の複数個の磁極柱（４０３）に設置されることを特徴とする請求項７に記載のディスク装置の主軸モーターのステータ組調整構造。
【請求項１１】
上記固定基板（４２）には他に上記調整部材（４３）を螺設するための位置決め孔（４２１）が複数個穿設され、上記調整部材（４３）が位置決め孔（４２１）に螺設された程度を変えることにより、上記ステータ組（４０）と固定基板（４２）との間隔を調整することを特徴とする請求項１または２に記載のディスク装置の主軸モーターのステータ組調整構造。
【請求項１２】
上記位置決め孔（４２１）は等角度かつ対称になるように上記固定基板（４２）に設置されることを特徴とする請求項１１に記載のディスク装置の主軸モーターのステータ組調整構造。
【請求項１３】
上記位置決め孔（４２１）の上周縁、下周縁には他にフランジ（４２２）が突設されることを特徴とする請求項１１に記載のディスク装置の主軸モーターのステータ組調整構造。
【請求項１４】
上記調整部材（４３）は上記ステータ組（４０）の中央部（４０２）に当接するように形成されることを特徴とする請求項１１に記載のディスク装置の主軸モーターのステータ組調整構造。
【請求項１５】
調整部材（４３’）は上記ステータ組（４０）の複数個の磁極柱（４０３）に当接するように形成されることを特徴とする請求項１１に記載のディスク装置の主軸モーターのステータ組調整構造。
【請求項１６】
上記ステータ組（４０）は軸管（４１）に嵌設され、上記軸管（４１）には他に環状板（４１２）が環設され、上記環状板（４１２）には上記調整部材（４３”）を螺設するための位置決め孔（４１１）が穿設され、上記調整部材（４３”）が位置決め孔（４１１）に螺設された程度を変えることにより、上記軸管（４１）の歪み状態を修正して上記ステータ組（４０）と固定基板（４２）との間隔を調整することを特徴とする請求項１または２に記載のディスク装置の主軸モーターのステータ組調整構造。
【請求項１７】
上記位置決め孔（４１１）は等角度かつ対称になるように上記軸管（４１）の環状板（４１２）に設置されることを特徴とする請求項１６に記載のディスク装置の主軸モーターのステータ組調整構造。
【請求項１８】
上記位置決め孔（４１１）の上周縁、下周縁には他にフランジ（４２２）が突設されることを特徴とする請求項１６に記載のディスク装置の主軸モーターのステータ組調整構造。
【請求項１９】
上記軸管（４１）の位置決め孔（４１１）に対応した上記ステータ組（４０）においては他に複数個のスルーホール（４０４）が穿設され、上記スルーホール（４０４）によって上記調整部材（４３”）の螺設の程度を調整することを特徴とする請求項１６に記載のディスク装置の主軸モーターのステータ組調整構造。
【請求項２０】
上記ステータ組（４０）は軸管（４１）に嵌設され、上記軸管（４１）には他に環状板（４１２）が環設され、上記環状板（４１２）の下方に位置する固定基板（４２）には上記調整部材（４３”）を螺設するための位置決め孔（４２３）が複数個穿設され、上記調整部材（４３”）が位置決め孔（４２３）に螺設された程度を変えることにより、上記軸管（４１）の歪み状態を修正して上記ステータ組（４０）と固定基板（４２）との間隔を調整することを特徴とする請求項１または２に記載のディスク装置の主軸モーターのステータ組調整構造。
【請求項２１】
上記位置決め孔（４２３）は等角度かつ対称になるように上記環状板（４１２）の下方に位置する固定基板（４２）に設置されることを特徴とする請求項２０に記載のディスク装置の主軸モーターのステータ組調整構造。
【請求項２２】
上記位置決め孔（４２３）の上周縁、下周縁には他にフランジ（４２４）が突設されることを特徴とする請求項２０に記載のディスク装置の主軸モーターのステータ組調整構造。
【発明の詳細な説明】
【０００１】
【発明の属する技術分野】
本発明は、ディスク装置の主軸モーターのステータ組調整構造に関するもので、特に、ディスク装置の主軸モーターが複数個の調整部材を利用し、ディスクキャリアとローターハブとの間隔を調整することにより、ディスクキャリアの平衡状態を迅速に調整することができるディスク装置の主軸モーターのディスクキャリア調整構造に係るものである。
【０００２】
【従来の技術】
従来この種のものにあっては、下記のようなものになっている。
【０００３】
従来のディスク装置の主軸モーターとしては、図１，２に示すように通常としてディスクキャリア１０、軸２０、ローターハブ３０およびステータ組４０が含まれる。ディスクキャリア１０にはディスクを係止し載置するための挟持座１１が設けられ、軸２０はディスクキャリア１０およびローターハブ３０と連結するように形成され、ステータ組４０には軸管４１が固設され、回路板４２の制御によって交番磁場が形成され、さらにローターハブ３０にはステータ組４０の交番磁場と誘導できる環状磁石３１が環設されることにより、ディスクキャリア１０およびディスクが同時に回転するように連動することができるようにとしたものがある。
【０００４】
また、従来のディスク装置の平衡配重器としては、垂直の平面に固定された基座と、基座の中央に組立てられた回転軸と、回転軸に装着されたディスクキャリアと、ディスクキャリアに組立てられたディスクを係止するための係止装置により構成され、ディスクの媒質の不均一の問題を解決しようとしたものがある（例えば、特許文献１を参照）。
【０００５】
【特許文献１】
中国実用新型専利番号第０１２０９５４７．８号
【０００６】
【発明が解決しようとする課題】
上述した前者の従来のディスク装置の主軸モーターについては、ディスクキャリア１０が初期に上記軸２０に組立てられた時、ディスクキャリア１０はローターハブ３０に対して少し傾斜になりがちで、そのためにローターハブ３０とは平行に保つことは難しくなり、そしてディスクキャリア１０の傾斜によってディスク装置に与える回転平衡および完成品の良品率の影響を避けるため、業界において旋盤を利用してディスクキャリア１０の上方への傾斜側を加工して研磨するのが通常で、このようにして上記傾斜側のディスクキャリア１０の厚さはａからｂまで研磨されることにより、ディスクキャリア１０の全体の表面はローターハブ３０に対して平行を保って平衡にして回転することができる。しかし、上述した旋盤を利用した方式ではディスクキャリア１０の傾斜状態を修正し調整することができるが、ステータ組４０または軸管４１が固定基板４２に対して生じた傾斜状態を同時に修正することができないため、軸管４１の歪みによって軸２０、ディスクキャリア１０、ローターハブ３０に傾斜状態が生じてしまうという問題点があった。さらに、上述の旋盤加工方式による研磨の過程においてディスクキャリア１０の平衡状態を繰り返し測定しなければならないため、製造過程が長くなるだけではなく、過度的な破壊性の研磨によってディスクキャリア１０の構造の強度および回転の安定性に影響を与えたしまういう問題点があった。
【０００７】
上述した後者の従来のディスク装置の平衡配重器については、ディスクキャリアに紙テープを貼ることによって重りとしてディスクキャリアの回転を平衡に保つことができるが、人の手を頼って貼らなければならないため、時間が掛かると共に、正確性にも欠けているという問題点があった。
【０００８】
本発明は、このような問題点に鑑みて発明したものであって、その目的とするところは、複数個の調整部材を設置してディスク装置の主軸モーターのステータ組と固定基板との間に当接し、上記調整部材の当接の程度を変えるだけで、破壊性の方式を利用しなくても上記ステータ組と固定基板との隙間を調整し、さらに上記ステータ組が固定基板に対する傾斜状態を修正することにより、上記ステータ組と固定基板を水平に保つことができると共に、ローターの回転を平衡に保つことができるため、ステータ組の水平の位置決めを確実かつ簡単に調整することができるディスク装置の主軸モーターのステータ組調整構造を提供しようとするものである。
【０００９】
本発明の第一の目的は、複数個の調整部材を利用してステータ組と固定基板との間隔を調整し、ステータ組と固定基板との傾斜状態を修正することにより、ステータ組の平衡調整をより迅速かつ簡単にすることができるディスク装置の主軸モーターのステータ組調整構造を提供しようとするものである。
【００１０】
本発明の第二の目的は、複数個の調整部材を利用して複数個の位置決め孔と合わせ、ステータ組と固定基板との間隔を調整し、ステータ組と固定基板との傾斜状態を修正することにより、ステータ組の平衡調整をより迅速かつ簡単にすることができるディスク装置の主軸モーターのステータ組調整構造を提供しようとするものである。
【００１１】
本発明の第三の目的は、複数個の調整部材を利用して軸管と固定基板との間隔を調整し、軸管とステータ組が固定基板に対する傾斜状態を修正することにより、ステータ組の平衡調整をより迅速かつ簡単にすることができるディスク装置の主軸モーターのステータ組調整構造を提供しようとするものである。
【００１２】
【課題を解決するための手段】
上記目的を達成するために、本発明によるディスク装置の主軸モーターのステータ組調整構造は、下記のようになるものである。すなわち、
少なくとも一個の調整部材が含まれるディスク装置の主軸モーターのステータ組調整構造である。上記調整部材はステータ組と固定基板の間に当接されることができるため、上記調整部材の当接の程度を変えることで、上記ステータ組と固定基板との間隔および傾斜状態を修正して調整することにより、上記ステータ組と固定基板との間における相対的な水平の位置決めを完成する。
【００１３】
また、本発明のディスク装置の主軸モーターのステータ組調整構造は、下記のように構成することもできる。
１．上記調整部材はねじからなる。
２．上記調整部材は異なる長さを有した複数個の柱体からなる。
３．上記調整部材は異なる弾性係数を有した複数個の弾性部材からなる。
４．上記調整部材は金属、合金、プラスチックにより製造される。
５．上記調整部材は溶接、熱溶接、粘着剤付けの方式により固定される。
６．上記ステータ組には他に調整部材を螺設するための位置決め孔が複数個穿設され、調整部材が位置決め孔に螺設された程度を変えることにより、ステータ組と固定基板との間隔を調整する。
７．上記位置決め孔は等角度かつ対称になるようにステータ組に設置される。
８．上記位置決め孔はステータ組の中央部に設置される。
９．上記位置決め孔はステータ組の複数個の磁極柱に設置される。
１０．上記固定基板には他に調整部材を螺設するための位置決め孔が複数個穿設され、調整部材が位置決め孔に螺設された程度を変えることにより、ステータ組と固定基板との間隔を調整する。
１１．上記位置決め孔は等角度かつ対称になるように固定基板に設置される。
１２．上記位置決め孔の上周縁、下周縁には他にフランジが突設される。
１３．上記調整部材はステータ組の中央部に当接するように形成される。
１４．上記調整部材はステータ組の複数個の磁極柱に当接するように形成される。
１５．上記ステータ組は軸管に嵌設され、軸管には他に環状板が環設され、環状板には上記調整部材を螺設するための位置決め孔が穿設され、調整部材が位置決め孔に螺設された程度を変えることにより、軸管の歪み状態を修正してステータ組と固定基板との間隔を調整する。
１６．上記位置決め孔は等角度かつ対称になるように軸管の環状板に設置される。
１７．上記位置決め孔の上周縁、下周縁には他にフランジが突設される。
１８．上記軸管の位置決め孔に対応したステータ組においては他に複数個のスルーホールが穿設され、スルーホールによって調整部材の螺設の程度を調整する。
１９．上記ステータ組は軸管に嵌設され、軸管には他に環状板が環設され、環状板の下方に位置する固定基板には調整部材を螺設するための位置決め孔が複数個穿設され、調整部材が位置決め孔に螺設された程度を変えることにより、軸管の歪み状態を修正してステータ組と固定基板との間隔を調整する。
２０．上記位置決め孔は等角度かつ対称になるように環状板の下方に位置する固定基板に設置される。
２１．上記位置決め孔の上周縁、下周縁には他にフランジが突設される。
【００１４】
【発明の実施の形態】
本発明の実施の形態について、以下、図面を参照して説明する。
【００１５】
図３は本発明の実施形態１のディスク装置の主軸モーターのステータ組調整構造による分解斜視図であり、図４は本発明の実施形態１のディスク装置の主軸モーターのステータ組調整構造が平衡調整を行う前における組立てられた状態の断面図であり、図５は本発明の実施形態１のディスク装置の主軸モーターのステータ組調整構造が平衡調整を行った後における組立てられた状態の断面図であり、図６は本発明の実施形態２のディスク装置の主軸モーターのステータ組調整構造による組立てられた状態の断面図であり、図７は本発明の実施形態３のディスク装置の主軸モーターのステータ組調整構造による分解斜視図であり、図８は本発明の実施形態３のディスク装置の主軸モーターのステータ組調整構造による組立てられた状態の断面図であり、そして、図９は本発明の実施形態４のディスク装置の主軸モーターのステータ組調整構造による組立てられた状態の断面図である。
【００１６】
本発明のディスク装置の主軸モーターのステータ組調整構造の部分的な部材は従来の技術における従来のディスク装置の主軸モーターの構造とは同じため、両者の同じ部分の部材は同じ符号を用いて標示することにより、ここでは再び詳細に説明しない。
【００１７】
【実施形態１】
図３を参照すると、本発明の実施形態１によるディスク装置の主軸モーターのステータ組調整構造は、主に、複数個の調整部材４３と複数個の位置決め孔４０１が含まれる。位置決め孔４０１は等角度かつ対称になるようにステータ組４０の中央部４０２に設置され、調整部材４３は位置決め孔４０１に螺設されることにより、ステータ組４０と固定基板４２の間に当接するように形成される。このように、本発明において調整部材４３の当接の程度を調整するだけで、ステータ組４０と固定基板４２との間の間隔を迅速に調整することができるため、ステータ組４０と固定基板４２との間における相対的な水平の位置決めを完成することができる。
【００１８】
図３，４，５を参照すると、本発明の実施形態１のステータ組の調整構造は、ディスク装置の主軸モーターにおいて複数個の調整部材４３と複数個の位置決め孔４０１を設置したものである。上記ディスク装置の主軸モーターにはディスクキャリア１０、軸２０、ローターハブ３０およびステータ組４０が含まれる。ディスクキャリア１０は軸２０およびローターハブ３０とは一体になるように結合することができると共に、ステータ組４０が生じた交番磁場によって駆動されることができる。調整部材４３はねじからなる方が好適で、金属、合金またはプラスチックにより製造されることができると共に、ステータ組４０と固定基板４２との間に形成される隙間４４に組立てられることができる。位置決め孔４０１は等角度かつ対称になるようにステータ組４０の中央部４０２に設置され（例えば、三個の位置決め孔４０１の場合だと、１２０°の角度で対称になるように中央部４０２に設置される）、位置決め孔４０１は調整部材４３が螺設するのに用いられる。このように、ステータ組４０をディスクキャリア１０、軸２０およびローターハブ３０と一体になるように結合させる前に、調整部材４３は中央部４０２の正面を経由して下方へ位置決め孔４０１を通過するように螺設されるため、固定基板４２の上面に当接するように形成される。そのため、本発明においては、調整部材４３が位置決め孔４０１に螺設された程度（当接の程度）を変えるだけで、ステータ組４０と固定基板４２との間隔を迅速に調整することができると共に、ステータ組４０と固定基板４２との間における相対的な水平の位置決めを確実に完成することができる。
【００１９】
図４および５を参照すると、本発明の実施形態１のステータ組の調整構造が傾斜のステータ組４０に使用された時、使用者は、ステータ組４０をディスクキャリア１０、軸２０およびローターハブ３０と一体になるように結合させる前に、適当な数の調整部材４３をステータ組４０の中央部が下方へ傾斜した片側の位置決め孔４０１に螺設させ、調整部材４３を中央部４０２の上部から位置決め孔４０１を通過するように下方へ螺設させることにより、固定基板４２の正面に当接させる。そして各調整部材４３の螺設の程度（当接の程度）を変えるだけで、ステータ組４０と固定基板４２との隙間４４の大きさおよび傾斜状態を迅速に調整することができるため、ステータ組４０と固定基板４２との間における相対的な水平の位置決めを完成することができる。さらに本発明が上述の平衡調整の手順を完成した後、調整部材４３の材質（金属、合金、プラスチック）によって溶接、熱溶接、粘着剤付け等の方式を選んで調整部材４３を固定することにより、調整部材４３が緩んだり脱落したりするのを防ぐことができると共に、ステータ組４０が再度傾斜になるのを避けることができる。
【００２０】
さらに、使用上の需要性に応じて本発明の位置決め孔４０１をステータ組４０の相対する半径方向の位置に設置することができ、例えばステータ組４０の内側の中央部４０２またはその外側の磁極柱４０３に設置することができる。その他に、ディスクキャリア１０の上表面には滑り止めパッド１２が設置されるため、ディスクが回転時においてディスクキャリア１０に対して滑るのを避けることができる。
【００２１】
【実施形態２】
図６を参照すると、本発明の実施形態２によるディスク装置の主軸モーターのステータ組調整構造は、ステータ組４０と固定基板４２との間に複数個の調整部材４３’と複数個の位置決め孔４２１を設置し、傾斜されたステータ組４０を調整するものである。実施形態１と比べ、本発明の実施形態２においては位置決め孔４２１は固定基板４２に穿設され、さらに調整部材４３’は上記固定基板４２の底側から上方へ位置決め孔４２１を通過するように螺設されるため、ステータ組４０の裏面に当接するように形成される。そのため、本発明の実施形態２においても、実施形態１と同様に各調整部材４３’の螺設の程度（当接の程度）を変えるだけで、ステータ組４０と固定基板４２との隙間４４の大きさおよび傾斜状態を迅速に調整することができるため、ステータ組４０と固定基板４２との間における相対的な水平の位置決めを完成することができる。
【００２２】
さらに、使用上の需要性に応じて位置決め孔４２１を固定基板４２の内側または外側に選択自在に設置することができるため、ステータ組４０の中央部４０２または磁極柱４０３に当接させることができる。そして位置決め孔４２１の上周縁または下周縁には選択自在にフランジ４２２が突設されることにより、位置決め孔４２１の構造を強化することができる。
【００２３】
【実施形態３】
図７および８を参照すると、本発明の実施形態３によるディスク装置の主軸モーターのステータ組調整構造は、ステータ組４０と固定基板４２との間に複数個の調整部材４３”と複数個の位置決め孔４１１を設置し、歪んだ軸管４１を調整するものである。実施形態１および実施形態２と比べ、本発明の実施形態３においては位置決め孔４１１は軸管４１に環設された環状板４１２に穿設され、さらに調整部材４３”は環状板４１２の位置決め孔４１１から下方へ位置決め孔４１２を通過するように螺設されるため、固定板４２の表面に当接するように形成される。そのため、本発明の実施形態３においても、各調整部材４３”の螺設の程度（当接の程度）を変えるだけで、軸管４１の歪み状態を迅速に調整し、さらに進んでステータ組４０と固定基板４２との傾斜状態を修正することができるため、ステータ組４０と固定基板４２との間における相対的な水平の位置決めを完成することができる。
【００２４】
さらに、本発明の実施形態３のステータ組４０においても環状板４１２に穿設された位置決め孔４１１に対応して複数個のスルーホール４０４が穿設されることにより、使用者は、ステータ組４０を上記軸管４１に装着させた後、道具を利用してスルーホール４０４を経由して上記調整部材４３”の螺設の程度を調整することができる。そして位置決め孔４１１の上周縁または下周縁には選択自在にフランジ（図示せず）が突設されることにより、位置決め孔４１１の構造を強化することができる。さらに環状板４１２は軸管４１とは一体成形からなる方が好適である。
【００２５】
【実施形態４】
図９を参照すると、本発明の実施形態４によるディスク装置の主軸モーターのステータ組調整構造は、ステータ組４０と固定基板４２との間に複数個の調整部材４３”と複数個の位置決め孔４２３を設置し、歪んだ軸管４１を調整するものである。前述の実施形態１〜３と比べ、本発明の実施形態４においては位置決め孔４２３は等角度かつ対称になるように軸管４１に環設された環状板４１２の下方に位置する固定基板４２に穿設され、さらに調整部材４３”は固定基板４２の位置決め孔４２３から上方へ位置決め孔４２３を通過するように螺設されるため、軸管４１の環状板４１２の裏面に当接するように形成される。そのため、本発明の実施形態４においても、各調整部材４３”の螺設の程度（当接の程度）を変えるだけで、軸管４１の歪み状態を迅速に調整し、さらに進んでステータ組４０と固定基板４２との傾斜状態を修正することができるため、ステータ組４０と固定基板４２との間における相対的な水平の位置決めを完成することができる。
【００２６】
さらに、本発明の実施形態４の位置決め孔４２３の上周縁または下周縁にも選択自在にフランジ４２４が突設されることにより、位置決め孔４２３の構造を強化することができる。さらに環状板４１２は軸管４１とは一体成形からなる方が好適である。
【００２７】
その他に、本発明の各実施形態の調整部材４３、４３’、４３”おおび位置決め孔４０１、４１１、４２１、４２３を、ステータ組４０と固定基板４２との隙間４４を調整できるその他の構造と置き換えることができ、例えば、異なる長さを有した複数個の柱体、または異なる弾性係数を有した複数個の弾性部材等と置き換えることができる。
【００２８】
再び図１および３を参照すると、本発明のディスク装置の主軸モーターのステータ組調整構造は、ステータ組４０と固定基板４２との間に調整部材４３と位置決め孔４０１を設置したもので、調整部材４３の当接の程度を変えるだけで、ステータ組４０と固定基板４２との間隔を調整し、さらにステータ組４０が固定基板４２に相対する傾斜状態を修正することができる。従来のディスク装置の主軸モーターにおいては、破壊性を有した旋盤の加工方式によって研磨されたディスクキャリア１０はステータ組と軸管との傾斜状態を修正することができないと共に、製造過程を短縮することができず、さらに構造の強度に影響を与えてしまう等の問題点を有しているため、本発明のディスク装置の主軸モーターのステータ組調整構造は、非破壊性の方式によってステータ組４０と固定基板４２との間における相対的な水平の位置決めを完成することができると共に、ステータ組の平衡調整をより迅速かつ簡単にすることができる
【００２９】
【発明の効果】
本発明のディスク装置の主軸モーターのステータ組調整構造によれば、複数個の調整部材を利用してステータ組と固定基板との間隔を調整し、ステータ組と固定基板との傾斜状態を修正することにより、ステータ組の平衡調整をより迅速かつ簡単にすることができるという利点がある。
【００３０】
本発明のディスク装置の主軸モーターのステータ組調整構造によれば、複数個の調整部材を利用して複数個の位置決め孔と合わせ、ステータ組と固定基板との間隔を調整し、ステータ組と固定基板との傾斜状態を修正することにより、ステータ組の平衡調整をより迅速かつ簡単にすることができるという利点がある。
【００３１】
本発明のディスク装置の主軸モーターのステータ組調整構造によれば、複数個の調整部材を利用して軸管と固定基板との間隔を調整し、軸管とステータ組が固定基板に対する傾斜状態を修正することにより、ステータ組の平衡調整をより迅速かつ簡単にすることができるという利点がある。
【００３２】
本発明は、その精神及び必須の特徴事項から逸脱することなく他のやり方で実施することができる。従って、本明細書に記載した好ましい実施例は例示的なものであり、限定的なものではない。
【図面の簡単な説明】
【図１】従来のディスク装置の主軸モーターのディスクキャリアが平衡調整を行う前における組立てられた状態の断面図である。
【図２】従来のディスク装置の主軸モーターのディスクキャリアが平衡調整を行った後における組立てられた状態の断面図である。
【図３】本発明の実施形態１のディスク装置の主軸モーターのステータ組調整構造による分解斜視図である。
【図４】本発明の実施形態１のディスク装置の主軸モーターのステータ組調整構造が平衡調整を行う前における組立てられた状態の断面図である。
【図５】本発明の実施形態１のディスク装置の主軸モーターのステータ組調整構造が平衡調整を行った後における組立てられた状態の断面図である。
【図６】本発明の実施形態２のディスク装置の主軸モーターのステータ組調整構造による組立てられた状態の断面図である。
【図７】本発明の実施形態３のディスク装置の主軸モーターのステータ組調整構造による分解斜視図である。
【図８】本発明の実施形態３のディスク装置の主軸モーターのステータ組調整構造による組立てられた状態の断面図である。
【図９】本発明の実施形態４のディスク装置の主軸モーターのステータ組調整構造による組立てられた状態の断面図である。
【符号の説明】
１０    ディスクキャリア            １１    挟持座
１２    滑り止めパッド              ２０    軸
３０    ローターハブ                ３１    環状磁石
４０    ステータ組                ４０１    位置決め孔
４０２    中央部                    ４０３    磁極柱
４０４    スルーホール                ４１    軸管
４１１    位置決め孔                ４１２    環状板
４２    固定基板                  ４２１    位置決め孔
４２２    フランジ
４３、４３’、４３”    調整部材
４４    隙間
【図１】
2004173414.tif 000003
【図２】
2004173414.tif 000004
【図３】
2004173414.tif 000005
【図４】
2004173414.tif 000006
【図５】
2004173414.tif 000007
【図６】
2004173414.tif 000008
【図７】
2004173414.tif 000009
【図８】
2004173414.tif 000010
【図９】
2004173414.tif 000011